(57)【要約】      （修正有）【課題】ルーズリーフノート紙を迅速且つ便利、さらに、しっかりと装丁する効果を有するルーズリーフノート用のダブルのコイル型留め具の固定板を提供する。【解決手段】ルーズリーフノート用のダブルのコイル型留め具の固定板１は、くぼんだ空間１１、くぼんだカーブ面１２、複数の固定クリップ１３、及び、くぼんだ空間１１の両端に設けられる固定槽１４を備える。くぼんだカーブ面１２は、ダブルのコイル型留め具のダブルＣ型リングを受け、複数の固定クリップ１３は、ダブルＣ型リングを連結する線状の中間部分をはさんで固定する。【選択図】図２
0003164813.tif 000002
【実用新案登録請求の範囲】
【請求項１】
ダブルＣ型リングが線状の中間部分によって連結されるダブルコイル型留め具を用いてルーズリーフノート紙を装丁して固定するルーズリーフノート用ダブルコイル型留め具の固定板であって、
くぼんだ空間と、
前記くぼんだ空間に形成され、前記ダブルコイル型留め具の前記ダブルＣ型リングを受けるくぼんだカーブ面と、
前記くぼんだ空間に形成され、前記ダブルコイル型留め具の前記中間部分をはさんで固定する複数の固定クリップと、
前記くぼんだ空間の両端に設けられ、前記ダブルコイル型留め具の両端を収納して固定する固定槽と、
を備えることを特徴とするルーズリーフノート用ダブルコイル型留め具の固定板。
【考案の詳細な説明】
【技術分野】
【０００１】
本考案は、ルーズリーフノート用ダブルコイル型留め具の固定板に関する。
【背景技術】
【０００２】
従来、最もよく使用されているルーズリーフノートは、硬い線材によって製造された螺旋状の単一コイルワイヤ、または図１に示すように、改良されたダブルコイル型留め具Ａを採用してルーズリーフノート紙Ｂを装丁する。
【考案の概要】
【考案が解決しようとする課題】
【０００３】
しかしながら、上記従来技術は次のような欠点があった。
表紙Ｃが硬質の紙であるか、レザー材質であるかに関わらず、いずれも穴を開けないと装丁できない（図１参照）。そうすると、表紙Ｃが損傷され、ルーズリーフノート全体の外観も質感もよくない。特に、外に露出するダブルコイル型留め具Ａの両端でけがをするおそれがある。
【０００４】
上記問題を解決するため、本考案は、ルーズリーフノート紙を迅速且つ便利に、しっかりと装丁することができるルーズリーフノート用ダブルコイル型留め具の固定板を提供することを課題とする。
【課題を解決するための手段】
【０００５】
上記目的を達成するために、本考案のルーズリーフノート用ダブルコイル型留め具の固定板は、くぼんだ空間、くぼんだカーブ面、固定クリップ、固定槽を有する。複数の固定クリップと、くぼんだカーブ面とは、固定板内のくぼんだ空間に形成され、くぼんだ空間の両端に固定槽が設置される。これにより、ダブルコイル型留め具をしっかりと支えて固定することにより、ルーズリーフノート紙を迅速且つ便利に、しっかりと装丁することができる。さらに、ダブルコイル型留め具の両端が固定槽に収納されて固定されることで、けがの発生を回避することができる。
【０００６】
本考案のルーズリーフノート用ダブルコイル型留め具の固定板は、固定板内の固定クリップによってダブルコイル型留め具の中間部分を包み込んではさみ、固定する。
本考案のルーズリーフノート用ダブルコイル型留め具の固定板は、固定板内のくぼんだカーブ面がダブルコイル型留め具のダブルＣ型リングを受ける。
本考案のルーズリーフノート用ダブルコイル型留め具の固定板は、固定板両端の固定槽によってダブルコイル型留め具の両端が収納されて固定されることで、けがの発生を回避する。
【０００７】
本考案のルーズリーフノート用ダブルコイル型留め具の固定板は、ダブルコイル型留め具が、単一の硬い線材より製造され、多数の連なった長いダブルＣ型リングの外形を呈する。
本考案のルーズリーフノート用ダブルコイル型留め具の固定板は、ルーズリーフノート紙の一側に整然と並んだ穴が設けられる。
本考案のルーズリーフノート用ダブルコイル型留め具の固定板は、ルーズリーフノート紙の一側のいずれの穴も、辺端の一側に溝が形成されており、溝の間隔はわずかである。ルーズリーフノート紙に溝が設けられていることにより、紙の完全性を破損することなく取り出せる。
本考案のルーズリーフノート用ダブルコイル型留め具の固定板は、ルーズリーフノート紙に溝が設けられていることで、取り出された紙を再び元の位置に戻すことができる。
さらに、本考案のルーズリーフノート用ダブルコイル型留め具の固定板は、ルーズリーフノート紙の一側の穴が幾何学形状を呈する。
【考案の効果】
【０００８】
本考案のルーズリーフノート用ダブルコイル型留め具の固定板は、固定クリップ、固定槽、くぼんだカーブ面などを有することで、ダブルコイル型留め具がしっかりと支えられて固定され、ルーズリーフノート紙を迅速且つ便利に、しっかりと装丁することができる。さらに、ダブルコイル型留め具の両端が固定槽に収納されて固定されることで、けがの発生を回避することができる。
【図面の簡単な説明】
【０００９】
【図１】従来の技術を示す斜視図。
【図２】本考案の一実施形態によるルーズリーフノート用ダブルコイル型留め具の固定板を示す斜視図。
【図３】図２の部分拡大図。
【図４】本考案の一実施形態において綴じる際の状態を説明する部分拡大図。
【図５】本考案の一実施形態において綴じる際の状態を説明する説明図。
【図６】本考案の一実施形態において綴じた後の状態を説明する説明図。
【図７】図６のルーズリーフノート紙がない状態の部分拡大図。
【図８】図６の部分拡大図。
【図９】本考案の一実施形態において綴じた後の状態を示す斜視図。
【考案を実施するための形態】
【００１０】
まず、図２、図３、図５を参照しながら、本考案の一実施形態によるルーズリーフノート用ダブルコイル型留め具の固定板について説明する。本実施形態のルーズリーフノート用ダブルコイル型留め具の固定板１は、くぼんだ空間１１、くぼんだカーブ面１２、固定クリップ１３、固定槽１４、貫通穴１５を有する。そのうち、ルーズリーフノート用ダブルコイル型留め具の固定板１は、長い形状を呈す。くぼんだ空間１１の中には、間隔をおいて複数のくぼんだカーブ面１２が設けられる。さらに、くぼんだ空間１１の上には、複数の固定クリップ１３が設けられる。また、ルーズリーフノート用ダブルコイル型留め具の固定板１の両端には、固定槽１４及び貫通穴１５が設けられる。ルーズリーフノート紙３の一側には、整然と並んだルーズリーフノートの穴３１が形成され、いずれのルーズリーフノートの穴３１も辺端に向かう一側に溝３２が形成され、溝３２の間隔はわずかである。ダブルコイル型留め具２は、単一の硬い線材より製造され、多数の連なった長いダブルＣ型リング２１の外形を呈する（図４参照）。
【００１１】
ダブルコイル型留め具２によって装丁する際は、まずダブルコイル型留め具２の全てのダブルＣ型リング２１の開口部を少し開けてから、多数のダブルＣ型リング２１を有するダブルコイル型留め具２を、一度に多数のルーズリーフノート紙３の相対距離をおいて設置されたルーズリーフノートの穴３１に挿入して、はめ込む形態で装丁して固定させる（図５参照）。ルーズリーフノート用ダブルコイル型留め具の固定板１は、両端の貫通穴１５及びリベット１Ａによって、ルーズリーフノートのカバー４の中間位置にあらかじめ開けてある穴４１と固定して一体化される。すでに装丁されたダブルコイル型留め具２と、多数のルーズリーフノート紙３とをくぼんだ空間１１に置くことで（図５、図６参照）、ダブルコイル型留め具２両端の末端２２及び中間部分２３が、固定槽１４、くぼんだカーブ面１２及び固定クリップ１３等によって、位置的にしっかりと支えられて固定される（図７、図８参照）。
このように、ルーズリーフノート全体を迅速且つ便利にしっかりと装丁することができる。また、ルーズリーフノートのカバー４がレザー面を採用していても、レザー面を全く損傷することなく、ルーズリーフノートの外観や質感を損なうことがない（図９参照）。
【００１２】
また、ルーズリーフノート紙３の一側のいずれのルーズリーフノートの穴３１も、辺端一側に向かって溝３２が形成されており、溝３２の間隔がわずかであることにより、ルーズリーフノートの穴３１を破壊することなく、ダブルＣ型リング２１を溝３２に沿って移動し、ルーズリーフノート紙３がスムーズに完全な形で取り出せる。同様に、ルーズリーフノート紙３は、反対方向に溝３２によってダブルＣ型リング２１を通過して、ダブルＣ型リング２１を再びルーズリーフノートの穴３１中の元の位置に戻すことが可能である。
本考案において、ルーズリーフノート紙３の一側のルーズリーフノートの穴３１は、各種幾何学形状に変化させることも可能である。
【符号の説明】
【００１３】
１      固定板
１１    くぼんだ空間
１２    くぼんだカーブ面
１３    固定クリップ
１４    固定槽
１５    貫通穴
１Ａ    リベット
２      ダブルコイル型留め具
２１    ダブルＣ型リング
２２    末端
２３    中間部分
３      ルーズリーフノート紙
３１    ルーズリーフノートの穴
３２    溝
４      ルーズリーフノートのカバー
４１    穴
Ａ      ダブルのコイル型留め具
Ｂ      ルーズリーフノート紙
Ｃ      表紙
【図１】
0003164813.tif 000003
【図２】
0003164813.tif 000004
【図３】
0003164813.tif 000005
【図４】
0003164813.tif 000006
【図５】
0003164813.tif 000007
【図６】
0003164813.tif 000008
【図７】
0003164813.tif 000009
【図８】
0003164813.tif 000010
【図９】
0003164813.tif 000011